(57)【要約】【課題】  映像と音声とを別々の情報源に基づいて同時に再生する機能で、動画ファイルと音源ファイルとが混在した記録媒体に基づいて映像を好適に再生可能な再生装置及び再生装置の再生方法を提供する。【解決手段】  映像と音声とを別々の情報源に基づいて同時に再生するＶ−ＳＥＬ機能を有する再生装置１００であって、Ｖ−ＳＥＬ機能に基づく再生時にＤＶＤディスク８に基づき映像を再生する場合に、ＤＶＤディスク８に格納されたデータのうちから動画ファイルを判別する処理と、ＤＶＤディスク８から動画ファイルを選択する処理とを実行する再生制御部６を備える。【選択図】  図１
2007122769.tif 000002
【特許請求の範囲】
【請求項１】
映像と音声とを別々の情報源に基づいて同時に再生する機能を有する再生装置であって、
前記機能に基づく再生時に、記録媒体に基づき映像を再生する場合に、該記録媒体に記録されたデータのうちから映像データを判別する処理と、
前記記録媒体から映像データを選択する処理とを実行する制御手段を備えることを特徴とする再生装置。
【請求項２】
前記記録媒体が、該記録媒体の代わりに記憶装置であることを特徴とする請求項１記載の再生装置。
【請求項３】
映像と音声とを別々の情報源に基づいて同時に再生する機能を有する再生装置の再生方法であって、
前記機能に基づく再生時に記憶媒体に基づき映像を再生する場合に、該記録媒体に記録されたデータのうちから映像データを判別するステップと、
前記記録媒体から映像データを選択するステップとを有することを特徴とする再生装置の再生方法。
【発明の詳細な説明】
【技術分野】
【０００１】
本発明は、再生装置及び再生装置の再生方法に関する。
【背景技術】
【０００２】
近年、映像や音声のディジタルデータ化に伴い、ディジタルデータを記録するための種々の規格が出現している。規格としては、例えばＤＶＤ（Digital Versatile Disc）を記録媒体として映像データを記録するためのＤＶＤビデオ規格や、ＤＶＤを記録媒体としてオーディオデータを記録するためのＤＶＤオーディオ規格などが存在している。一方で、これらの規格に対応すべく再生装置の多機能化も進んでいる。例えば、特許文献１では以下に示すようなＤＶＤオーディオでも再生可能なＤＶＤオーディオ再生方法及び再生装置を提案している。
【０００３】
ＤＶＤは記憶容量が大きいため、ＤＶＤオーディオ規格でオーディオデータを記録したＤＶＤオーディオでは、所定のオーディオデータを記録した後の記録余裕部分に、例えば各曲に対して演奏者、曲名等のディスプレイ表示用データの他、ビデオデータも記録可能である。ここで、ビデオデータとは情報として映像のみで音声を含まないデータである。例えばこのビデオデータの中にメニュー画面が存在し、上述のＤＶＤオーディオを再生する際にメニューに沿ってユーザが適宜のものを選択して選曲等を行う必要がある場合、表示部を有さないＤＶＤオーディオ単機能型プレーヤでは、オーディオデータを再生することができないこととなる。
【０００４】
特許文献１が提案するＤＶＤオーディオ再生方法及び再生装置は、上述のＤＶＤオーディオを再生するにあたって、ＴＶモニタの接続状態や作動状態を検出し、ＴＶモニタが接続されていないときやＴＶモニタがナビゲーションや放送受信に使用されているときには、ＤＶＤオーディオからビデオデータの再生とは関係のない独立オーディオデータのみを選択することで、ＴＶモニタがない場合でもオーディオデータを出力可能にしている。
【０００５】
一方、映像や音声のディジタルデータ化に伴い、ＣＤ−Ｒ（Compact Disc Recordable）やＤＶＤ−Ｒ（Digital Versatile Disc−Recordable）などの記録媒体が出現している。これらの記録媒体には、ユーザが例えば動画ファイルや音源ファイルなどを、上述の規格に依らず混在させて記録することが可能である。これに伴い、種々の動画ファイルや音源ファイルの再生に対応した再生装置も既に実用化されている。
【０００６】
【特許文献１】特開２００１−２６６４８９号公報
【発明の開示】
【発明が解決しようとする課題】
【０００７】
ところで、近年、映像と音声とを別々の情報源に基づいて同時に再生する機能（以下、単にＶ−ＳＥＬ機能とも称す）を有する再生装置が実用化されている。なお、「Ｖ−ＳＥＬ」とは「Ｖｉｓｕａｌ−Ｓｅｌｅｃｔ」の略称である。この再生装置では、ユーザの指定に基づき例えばラジオチューナを情報源としてラジオ放送（音声）を出力（再生）しながら、ＤＶＤを情報源としてＤＶＤプログラム（映像）を再生することが可能である。しかしながら、この再生装置で映像を再生するために、動画ファイルと音源ファイルとが混在した記憶媒体（以下、単に混在メディアとも称す）を情報源として使用する場合には、以下に示す課題が存在する。
【０００８】
図４は、一般的な再生装置が、Ｖ−ＳＥＬ機能で混在メディアに基づき、映像を再生した場合の状況を模式的に示す図である。図４（ａ）に示すように、一般的な再生装置が動画ファイルを再生しているときには、ユーザは例えばラジオ放送を楽しみながら映像を鑑賞できる。一方、再生装置が音源ファイルを再生している場合には、図４（ｂ）に示すように、一般的な再生装置では「演奏時間」や「トラックナンバー」などが映像として表示される。この表示は、ユーザがラジオ放送を音声として聞いている場合には無意味なものである。したがって、この場合には、音源ファイルが再生される度にユーザが自ら動画ファイルを検索する必要性が生じる。
【０００９】
図５は、混在メディアに記録されているファイルの構成とともに一般的な再生装置で混在ファイルに基づいて映像を再生するように設定されている状態でＶ−ＳＥＬ機能がＯＮになった場合の状況を模式的に示す図である。混在メディアには、音源ファイルとしてＭＰ３（MPEG Audio Layer-3）ファイルとＷＭＡ（Windows Media Audio）ファイルとが記録されている。なお、「Ｗｉｎｄｏｗｓ」は登録商標である。このＭＰ３ファイルとＷＭＡファイルとは、Ｍｕｓｉｃフォルダに格納されている。また、混在メディアには、動画ファイルとしてＡＶＩ（Audio Video Interleaving）ファイルが記録されている。このＡＶＩファイルは、Ｍｏｖｉｅフォルダに格納されている。但し、音源ファイルと、動画ファイルはこれらの種類に限られず、例えば動画ファイルとしてＭＰＥＧ１（Movig Picture Experts Group phase 1）ファイルなどが記録されていてもよい。
【００１０】
図５に示すように、例えば「２２２．ＭＰ３」ファイルを再生している際に、ユーザがＶ―ＳＥＬ機能をＯＮにしたとする。ここで、Ｖ−ＳＥＬ機能で混在メディアに基づいて映像を再生するよう指定されている場合には、一般的な再生装置では、図４（ｂ）に示すような状況になってしまう。そのため、ユーザがファイル順に動画ファイルを検索しようとすると、矢印で示すようにいくつもの音源ファイルを順送りした後に初めて動画ファイルを検索できることとなる。このように、一般的な再生装置では非常に煩わしい操作を強いられるため、ユーザに不快感を与えてしまう虞がある。
【００１１】
本発明は上記課題に鑑みてなされたものであり、映像と音声とを別々の情報源に基づいて同時に再生する機能で、動画ファイルと音源ファイルとが混在した記録媒体に基づいて映像を好適に再生可能な再生装置及び再生装置の再生方法を提供することを目的とする。
【課題を解決するための手段】
【００１２】
上記課題を解決するために、本発明は、映像と音声とを別々の情報源に基づいて同時に再生する機能を有する再生装置であって、前記機能に基づく再生時に、記録媒体に基づき映像を再生する場合に、該記録媒体に記録されたデータのうちから映像データを判別する処理と、前記記録媒体から映像データを選択する処理とを実行する制御手段を備えることを特徴とする。本発明によれば、Ｖ−ＳＥＬ機能で混在メディアに基づき映像を再生する場合でも、ユーザは自ら動画ファイル（映像データ）を検索せずに映像だけを鑑賞することが可能である。
【００１３】
また、本発明は、前記記録媒体が、該記録媒体の代わりに記憶装置であってもよい。例えば、記憶装置としては、例えばＨＤＤ（Hard Disc Drive）などを適用することが可能である。
【００１４】
また、本発明は、映像と音声とを別々の情報源に基づいて同時に再生する機能を有する再生装置の再生方法であって、前記機能に基づく再生時に記憶媒体に基づき映像を再生する場合に、該記録媒体に記録されたデータのうちから映像データを判別するステップと、前記記録媒体から映像データを選択するステップとを有することを特徴とする再生装置の再生方法である。
【発明の効果】
【００１５】
本発明によれば、映像と音声とを別々の情報源に基づいて同時に再生する機能で、動画ファイルと音源ファイルとが混在した記録媒体に基づいて映像を好適に再生可能な再生装置及び再生装置の再生方法を提供できる。
【発明を実施するための最良の形態】
【００１６】
以下、本発明を実施するための最良の形態を図面と共に詳細に説明する。
【００１７】
図１は、本実施例に係る再生装置１００の構成を示す図である。ディスクプレーヤ１０は、モータ制御部１と、モータ２と、スライダ制御部３と、光ピックアップ４と、操作部５と、再生制御部６と、信号分離部７を有して構成されている。このディスクプレーヤ１０は、以下に示すようにしてＤＶＤディスク８からデータを読み出す。
【００１８】
モータ制御部１は、モータ２の駆動を制御するための構成である。モータ２の駆動により回転するＤＶＤディスク８からは、光ピックアップ４によってデータが読み出される。この光ピックアップ４は、スライダ制御部３によって放射方向の位置が制御される。再生制御部６は、選曲・再生・停止・早送り等の操作入力により操作部５から出力される出力信号に応じて、モータ制御部１、スライダ制御部３に制御信号を出力するための構成である。この制御信号を受け取ったモータ制御部１とスライダ制御部３との制御の基、モータ２や図示しないスライダが駆動し、選曲等の所定の作動が行われる。なお、再生制御部６は、例えば光ピックアップ４によって得られたデータに基づいて更にモータ制御部１やスライダ制御部３に制御信号を出力する処理を実行する等、必要に応じて種々の制御を行う。
【００１９】
また、上述の再生制御部６は、ＣＰＵ（Central Processing Unit：中央演算処理装置）を有して構成され、内蔵するプログラムに基づきＶ−ＳＥＬ機能に関する種々の処理を実行するための構成でもある。再生制御部６が実行するＶ−ＳＥＬ機能に関する種々の処理については、適宜後述する。本実施例では、再生制御部６で制御手段を実現している。また、上述の操作部５は、種々の設定・操作を入力するための構成であり、ユーザはＶ―ＳＥＬ機能のＯＮやＶ−ＳＥＬ機能における情報源の指定をこの操作部５によって行う。ＤＶＤディスク８は動画ファイルと音源ファイルとが混在した状態で記録されている混載メディアである。
【００２０】
信号分離部７は、光ピックアップ４からのデータを、ビデオデータとオーディオデータとに分離するための構成である。この信号分離部７は、分離したオーディオデータをオーディオ信号処理部１１に出力する。オーディオ信号処理部１１はオーディオデータに対して所定のオーディオ信号処理を行い、この処理で得られるオーディオ信号は、オーディオ出力部１２を経てスピーカ１３に出力される。これによって、スピーカ１３から音声が再生される。
【００２１】
一方、信号分離部７は、分離したビデオデータをビデオ信号処理部１４に出力する。ビデオ信号処理部１４はビデオデータに対して画像処理を行い、この処理で得られたビデオ信号はビデオ出力部１５を経て表示部１６に出力される。これによって、表示部１６には上述の音声に関連した映像が再生される。
【００２２】
ＴＶチューナー２０からは、ビデオ信号処理部１４とオーディオ信号処理部１１とにそれぞれビデオ信号とオーディオ信号とが入力される。また、ラジオチューナ３０と、ＣＤプレーヤ４０とからは、オーディオ信号処理部１１にオーディオ信号が入力される。なお、ラジオチューナ３０は、従来のアナログ放送用であってもディジタル音声放送用であってもよい。
【００２３】
上述の構成で、次にＶ−ＳＥＬ機能について詳述する。ユーザは、操作部５により映像と音声を再生する情報源を別々に指定することが可能である。本実施例で、情報源はＤＶＤディスク８、ＴＶチューナ２０、ラジオチューナ３０及びＣＤ（Compact Disc）プレーヤ４０が再生するＣＤである。但し、これに限らず、例えばＭＤ（Mini Disc）プレーヤが再生するＭＤやナビゲーション装置なども情報源とすることが可能である。
【００２４】
ユーザが情報源を指定すると、操作部５から再生制御部６に信号が出力され、この信号に基づき、再生制御部６は、オーディオ信号処理部１１とビデオ信号処理部１４とにそれぞれ信号を出力する処理を実行する。この信号により情報源が指定されたオーディオ信号処理部１１は、Ｖ−ＳＥＬ機能がＯＮになっている場合には、指定された情報源に基づきオーディオ信号処理を行う。同様に情報源が指定されたビデオ信号処理部１４は、Ｖ−ＳＥＬ機能がＯＮになっている場合には、指定された情報源に基づき画像処理を行う。これによって、Ｖ―ＳＥＬ機能がＯＮになった場合には、スピーカ１３からは例えばラジオ放送が、表示部１６には例えばＴＶプログラムが同時に再生される。
【００２５】
次に、Ｖ−ＳＥＬ機能でＤＶＤディスク８に基づいて映像を再生する場合について詳述する。図２は、ＤＶＤディスク８に記録されているファイルの構成とともにＤＶＤディスク８に基づいて映像を再生するように設定されている状態でＶ−ＳＥＬ機能がＯＮになった場合の状況を模式的に示す図である。ここで、ＤＶＤディスク８のファイル構成については、図５に示す混在メディアのファイル構成と同一であるため説明を省略する。
【００２６】
「２２２．ＭＰ３」ファイルを再生している際に、ユーザが操作部５によりＶ−ＳＥＬ機能をＯＮにした場合、再生制御部６は、モータ制御部１とスライダ制御部３とに所定の制御信号を出力する。この制御信号を受け取ったモータ制御部１とスライダ制御部３との制御の基、ディスクプレーヤ１０ではファイル検索作動が行われ、再生制御部６は、光ピックアップ４からの出力信号に基づき、ＤＶＤディスク８から動画ファイル（映像データ）を判別し、選択する処理を実行する。これによって、図２に示す「ＣＣＣ．ＡＶＩ」ファイルが選択され、光ピックアップ４は「ＣＣＣ．ＡＶＩ」ファイルのデータを読み出す。
【００２７】
また、「ＣＣＣ．ＡＶＩ」ファイルのデータ出力が完了した後には、再生制御部６は再度動画ファイルを選択する処理を実行する。その結果、ファイル順で次のファイルにあたる「ＤＤＤ．ＡＶＩ」ファイルが選択され、光ピックアップ４は「ＤＤＤ．ＡＶＩ」ファイルのデータを読み出す。これにより、音源ファイルと動画ファイルとが混在したＤＶＤディスク８を情報源としてＶ−ＳＥＬ機能で映像を再生する場合でも、動画ファイルのみを再生することが可能である。
【００２８】
次に、映像を再生するための情報源としてＤＶＤディスク８が指定された状態で、ユーザが操作部５によりＶ−ＳＥＬ機能をＯＮにした場合に、再生装置１００で実行される処理を図３に示すフローチャートを用いて詳述する。まず、ユーザは、操作部５により映像を再生するための情報源としてＤＶＤディスク８を指定する（ステップ１１）。また、ユーザは、操作部５により音声を再生するための情報源としてラジオチューナ３０を指定する（ステップ１２）。
【００２９】
次に、ユーザは、操作部５によりＶ−ＳＥＬ機能をＯＮにする（ステップ１３）。Ｖ−ＳＥＬ機能がＯＮになると、ディスクプレーヤ１０が検索作動する（ステップ１４）。ディスクプレータ１０が検索作動すると、再生制御部６は光ピックアップ４からの出力信号に基づき、拡張子からＤＶＤディスク８に記録された動画ファイルを判別する処理を実行し、動画ファイルと音源ファイルとが混在しているかどうかを判定する（ステップ１５）。
【００３０】
混在していないと判断した場合（動画ファイルのみであると判断した場合）には、再生制御装置６は動画ファイルをファイル順に再生する処理を実行する（ステップ１６）。混在していると判断した場合には、再生制御装置６はファイル順に基づき、未再生の動画ファイルを選択する処理を実行する（ステップ１７）。この処理に基づき、光ピックアップ４は、選択された動画ファイルを読み出す（ステップ１８）。これにより、再生装置１００では、選択された動画ファイルに基づく映像が再生される（ステップ１９）。再生が終了すると、ステップ１７に戻り次の動画ファイルを選択する。また、ユーザ操作により再生が中断された場合には再生を終了する。
【００３１】
なお、情報源として、ＤＶＤディスク８の代わりに音源ファイルと動画ファイルとが混在した状態で記録されたハードディスクドライブなどの記憶装置を適用することも可能である。この場合には、モータ制御部１、モータ２、スライダ制御部３及び光ピックアップ４は不要で、再生制御部６は記憶装置にアクセスして動画ファイルを判別し、適宜選択・出力する処理を実行する。以上により、映像と音声とを別々の情報源に基づいて同時に再生するＶ―ＳＥＬ機能で、動画ファイルと音源ファイルとが混在したＤＶＤディスク８に基づいて映像を好適に再生可能な再生装置１００及び再生装置１００の再生方法を実現可能である。
【００３２】
上述した実施例は本発明の好適な実施の例である。但し、これに限定されるものではなく、本発明の要旨を逸脱しない範囲内において種々変形実施可能である。
【図面の簡単な説明】
【００３３】
【図１】本実施例に係る再生装置１００の構成を示す図である。
【図２】ＤＶＤディスク８に記録されているファイルの構成とともにＤＶＤディスク８に基づいて映像を再生するように設定されている状態でＶ−ＳＥＬ機能がＯＮになった場合の状況を模式的に示す図である。
【図３】映像を再生するための情報源としてＤＶＤディスク８が指定された状態で、ユーザが操作部５によりＶ−ＳＥＬ機能をＯＮにした場合に、再生装置１００で実行される処理をフローチャートで示す図である。
【図４】一般的な再生装置が、Ｖ−ＳＥＬ機能で混在メディアに基づき、映像を再生した場合の状況を模式的に示す図である。
【図５】混在メディアに記録されているファイルの構成とともに一般的な再生装置で混在ファイルに基づいて映像を再生するように設定されている状態でＶ−ＳＥＬ機能がＯＮになった場合の状況を模式的に示す図である。
【符号の説明】
【００３４】
１  モータ制御部
２  モータ
３  スライダ制御部
４  光ピックアップ
５  操作部
６  再生制御部
７  信号分離部
８  ＤＶＤディスク
１１  オーディオ信号処理部
１２  オーディオ出力部
１３  スピーカ
１４  ビデオ信号処理部
１５  ビデオ出力部
１６  表示部
２０  ＴＶチューナ
３０  ラジオチューナ
４０  ＣＤプレーヤ
【図１】
2007122769.tif 000003
【図２】
2007122769.tif 000004
【図３】
2007122769.tif 000005
【図４】
2007122769.tif 000006
【図５】
2007122769.tif 000007